【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
少なくとも色材、水、水溶性有機溶剤および、ガラス転移点が０℃以上、１００℃以下の樹脂の微粒子が分散した樹脂エマルジョンを含むことを特徴とするインクジェット用インク。
【請求項２】
樹脂エマルジョンを形成する樹脂がスチレン−アクリル系共重合体であることを特徴とする請求項１に記載のインクジェット用インク。
【請求項３】
樹脂エマルジョンの最低造膜温度が２５℃以下であることを特徴とする請求項１または２に記載のインクジェット用インク。
【請求項４】
樹脂エマルジョンを形成する樹脂の重量平均分子量が１万以上、２０万以下であることを特徴とする請求項１〜３のいずれかに記載のインクジェット用インク。
【請求項５】
樹脂エマルジョン中における樹脂微粒子の平均粒径が２００ｎｍ以下であることを特徴とする請求項１〜４のいずれかに記載のインクジェット用インク。
【請求項６】
インク中における樹脂微粒子の含有量が１重量％以上、２０重量％以下であることを特徴とする請求項１〜５のいずれかに記載のインクジェット用インク。
【請求項７】
色材が水溶性染料であることを特徴とする請求項１〜６のいずれかに記載のインクジェット用インク。
【請求項８】
水溶性染料の含有量が１重量％以上、２０重量％以下であることを特徴とする請求項７に記載のインクジェット用インク。
【請求項９】
水溶性有機溶剤の含有量が１０重量％以上、５０重量％以下であることを特徴とする請求項１〜８のいずれかに記載のインクジェット用インク。
【請求項１０】
インク中における樹脂微粒子の平均粒径が２５０ｎｍ以下であることを特徴とする請求項１〜９のいずれかに記載のインクジェット用インク。
【請求項１１】
当該インクを７０℃で３週間、密閉状態で保存した後の樹脂微粒子の粒径変化率が１０％以下であることを特徴とする請求項１〜１０のいずれかに記載のインクジェット用インク。
【請求項１２】
当該インクのｐＨが４以上、１２以下であることを特徴とする請求項１〜１１のいずれかに記載のインクジェット用インク。
【請求項１３】
当該インクを７０℃で３週間、密閉状態で保存した後のｐＨ変化率が１０％以下であることを特徴とする請求項１〜１２のいずれかに記載のインクジェット用インク。
【請求項１４】
当該インクの表面張力が２０ｍＮ／ｍ以上、５０ｍＮ／ｍ以下であることを特徴とする請求項１〜１３のいずれかに記載のインクジェット用インク。
【請求項１５】
当該インクを７０℃で３週間、密閉状態で保存した後の表面張力変化率が１０％以下であることを特徴とする請求項１〜１４のいずれかに記載のインクジェット用インク。
【請求項１６】
当該インクの粘度が１０ｍＰａ・ｓ以下であることを特徴とする請求項１〜１５のいずれかに記載のインクジェット用インク。
【請求項１７】
当該インクを７０℃で３週間、密閉状態で保存した後の粘度変化率が１０％以下であることを特徴とする請求項１ないし１６記載のインクジェット記録用インク。
【請求項１８】
さらに酸アンモニウム塩を含有することを特徴とする請求項１〜１７のいずれかに記載のインクジェット用インク。
【請求項１９】
酸アンモニウム塩として、炭酸アンモニウム、塩化アンモニウム、硫酸アンモニウム、リン酸水素二アンモニウム、リン酸水素三アンモニウムおよび酢酸アンモニウムからなる群より任意に選ばれる少なくとも一種を含有していることを特徴とする請求項１８に記載のインクジェット用インク。
【請求項２０】
酸アンモニウム塩の添加量が０．１重量％以上、１０重量％以下であることを特徴とする請求項１８または１９に記載のインクジェット用インク。
【請求項２１】
請求項１〜２０のいずれかに記載のインクジェット用インクを収容したことを特徴とするインクカートリッジ。
【請求項２２】
請求項１〜２０のいずれかに記載のインクジェット用インクを吐出させて記録を行なう方式のヘッドを備えたことを特徴とするインクジェット記録装置。
【請求項２３】
請求項２２に記載のインクジェット記録装置を用いて印字することを特徴とする画像形成方法。
【請求項２４】
請求項２３に記載の画像形成方法で印字されたことを特徴とする画像形成物。
【請求項２５】
画像支持体が紙であることを特徴とする請求項２４に記載の画像形成物。
【手続補正２】
【補正対象書類名】明細書
【補正対象項目名】０００８
【補正方法】変更
【補正の内容】
【０００８】
請求項１に係る発明は、少なくとも色材、水、水溶性有機溶剤および、ガラス転移点が０℃以上、１００℃以下の樹脂の微粒子が分散した樹脂エマルジョンを含むことを特徴とするインクジェット用インクである。請求項２に係る発明は、樹脂エマルジョンを形成する樹脂がスチレン−アクリル系共重合体であることを特徴とする請求項１に記載のインクジェット用インクである。請求項３に係る発明は、樹脂エマルジョンの最低造膜温度が２５℃以下であることを特徴とする請求項１または２に記載のインクジェット用インクである。
【手続補正３】
【補正対象書類名】明細書
【補正対象項目名】００１１
【補正方法】変更
【補正の内容】
【００１１】
請求項５に係る発明は、樹脂エマルジョン中における樹脂微粒子の平均粒径が２００ｎｍ以下であることを特徴とする請求項１〜４のいずれかに記載のインクジェット用インクである。本発明によれば、形成画像が耐水性に優れるうえ、インクジェットプリンタのノズル目詰まりがない、吐出安定性にも優れたインクジェット用インクが提供される。
【手続補正４】
【補正対象書類名】明細書
【補正対象項目名】００１２
【補正方法】変更
【補正の内容】
【００１２】
請求項６に係る発明は、インク中における樹脂微粒子の含有量が１重量％以上、２０重量％以下であることを特徴とする請求項１〜５のいずれかに記載のインクジェット用インクである。本発明によれば、形成画像の耐水性に優れるうえ、インクジェットプリンタのノズルの目詰まりがなく、吐出安定性にも優れたインクジェット用インクが提供される。
【手続補正５】
【補正対象書類名】明細書
【補正対象項目名】００１６
【補正方法】変更
【補正の内容】
【００１６】
請求項１０に係る発明は、インク中における樹脂微粒子の平均粒径が２５０ｎｍ以下であることを特徴とする請求項１〜９のいずれかに記載のインクジェット用インクである。本発明によれば、形成画像の彩度が向上し、鮮明な画像形成が可能なインクジェット用インクが提供される。
【手続補正６】
【補正対象書類名】明細書
【補正対象項目名】００２４
【補正方法】変更
【補正の内容】
【００２４】
請求項１８に係る発明は、さらに酸アンモニウム塩を含有することを特徴とする請求項１〜１７のいずれかに記載のインクジェット用インクである。請求項１９に係る発明は、酸アンモニウム塩として、炭酸アンモニウム、塩化アンモニウム、硫酸アンモニウム、リン酸水素二アンモニウム、リン酸水素三アンモニウムおよび酢酸アンモニウムからなる群より任意に選ばれる少なくとも一種を含有していることを特徴とする請求項１８に記載のインクジェット用インクである。請求項１８、請求項１９の発明によれば、形成画像の耐水性が更に向上したインクジェット用インクが提供される。また、酸アンモニウム塩としてリン酸水素二アンモニウムを配合することで、特に優れた耐水性が得られる。
【手続補正７】
【補正対象書類名】明細書
【補正対象項目名】００６７
【補正方法】変更
【補正の内容】
【００６７】
なお、本発明のインクジェット用インクを用いて印字する手段としては、連続噴射型またはオンデマンド型の記録ヘッドを有するインクジェット方式のプリンタ（インクジェットプリンタ）が挙げられる。オンデマンド型としては、ピエゾ方式、サーマルインクジェット方式、静電方式等が例示される。これらインクカートリッジの構成、インクジェット装置の構成、画像形成方法は、例えば特開２０００−１９８９５８号公報に開示されたものなど、本発明の技術分野に関する公知技術を適宜採用することで、実現することが可能である。